(57)【要約】【課題】操作盤面上に載置スペースを確保するスライド機構を備える卓上電話機の技術を提供する。【解決手段】本発明の卓上電話機は、電話機本体と、前記電話機本体に角度調節可能に取り付けられ、各種情報を表示するディスプレイ表示部と、前記ディスプレイ表示部の内部に組み込まれ、該ディスプレイ表示部から前記電話機本体の操作基盤上に引き出すことで載置スペースを確保するスライド機構とを備える。【選択図】図４ｂ
2014187585.tif 000002
【特許請求の範囲】
【請求項１】
電話機本体と、
前記電話機本体に角度調節可能に取り付けられ、各種情報を表示するディスプレイ表示部と、
前記ディスプレイ表示部の内部に組み込まれ、該ディスプレイ表示部から前記電話機本体の操作基盤上に引き出すことで載置スペースを確保するスライド機構と、を備えることを特徴とする卓上電話機。
【請求項２】
前記スライド機構は、前記ディスプレイ表示部の内部から引き出した際には携帯端末を載置可能な置き台と、前記置き台の出し引きをスムーズにするためのガイド溝を設けたベース部品と、を有することを特徴とする請求項１に記載の卓上電話機。
【請求項３】
前記置き台は、前記ガイド溝を通る案内リブと、該ガイド溝の穴に嵌ることで引き出し動作を抑制して前記ディスプレイ表示部の角度調節の軸となる突起部とを有することを特徴とする請求項２に記載の卓上電話機。
【請求項４】
前記ディスプレイ表示部は、前記置き台に携帯端末を載置した状態で角度調節可能なことを特徴とする請求項２又は３に記載の卓上電話機。
【請求項５】
前記置き台に載置した前記携帯端末の表示部に、該携帯端末に覆われた前記電話機本体の操作基盤上の各種ボタンを表示させ、機能させることを特徴とする請求項２から４の何れか一項に記載の卓上電話機。
【請求項６】
前記電話機本体と分離、連結可能に構成する受話部をさらに備えることを特徴とする請求項１乃至５の何れか一項に記載の卓上電話機。
【請求項７】
前記電話機本体と携帯端末を接続することで、受話部の代わりに載置した携帯端末を用いて通話処理できることを特徴とする請求項６に記載の卓上電話機。
【発明の詳細な説明】
【技術分野】
【０００１】
本発明は、操作盤面上に保持スペースを設ける卓上電話機に関する。
【背景技術】
【０００２】
個人での携帯端末（スマートフォンなど）所持率が年々高くなっている現在、職場でも自分用の充電台や専用の置き台を置いている人が多く見られるようになり、デスク上の作業スペース確保の問題が出ている。また、最近では卓上電話機とスマートフォンをケーブルや無線で接続させ、充電や連携をさせる活用方法も開発されており、その際には卓上電話機の横にスマートフォンが無造作に置かれているような状態をよく目にする。デスクに一般的に置かれている卓上電話機を用いてスマートフォンなどの機器を好適に配置できれば都合がよい。
【０００３】
特許文献１は、電話機本体の底面に案内溝に沿って前後方向に摺動可能に備忘板を組み込んだ電話機を開示している。この電話機では、電話番号等の表示面を有する備忘板を電話機の本体内から引き出し、及び備忘板全体を電話機の本体内に収納されるようにしている。
【０００４】
また、電話機の番号カード・ケース保持構造の一例が特許文献２に記載されている。特許文献２の電話機においては、筐体と受け部との間を摺動するように構成された電話番号メモカードなどを保持する構造を開示している。さらに、特許文献３は、機器本体の液晶ディスプレイを拭くための払拭部材を携帯機器の収容部に取り出し可能に収納した構成が記載されている。
【先行技術文献】
【特許文献】
【０００５】
【特許文献１】実開平０３−１１５４５６号公報
【特許文献２】実公平０１−０３６３７５号公報
【特許文献３】特開２００８−０９２２６３号公報
【発明の概要】
【発明が解決しようとする課題】
【０００６】
しかしながら、上述した特許文献１、特許文献２、及び特許文献３においては、電話機に各種部材を収容するものであったり、電話機の操作盤面の外に備忘板や収容部を引き出す構成であったため、作業スペース確保の改善にならないという問題点があった。つまり、デスクに設けられている卓上電話機の内部から卓上電話機のスペース外に引き出した部分に新たにスマートフォンなどの備品を配置することになるため、結局はデスク上に場所を取ることになってしまう。
【０００７】
本発明は、上述した課題を解決するためになされたものであり、操作盤面上に載置スペースを確保するスライド機構を備えた卓上電話機を提供することを目的とする。
【課題を解決するための手段】
【０００８】
上述の課題に鑑み、本発明の一態様は、電話機本体と、前記電話機本体に角度調節可能に取り付けられ、各種情報を表示するディスプレイ表示部と、前記ディスプレイ表示部の内部に組み込まれ、該ディスプレイ表示部から前記電話機本体の操作基盤上に引き出すことで載置スペースを確保するスライド機構と、を備えることを特徴とする卓上電話機に関する。
【発明の効果】
【０００９】
本発明によると、卓上電話機を設けた場所に携帯端末などを配置するための余分なスペースを取ることなく簡易に携帯端末を載置することができるため、作業スペースを確保することが可能となる。
【００１０】
本発明の更なる利点及び実施形態を、記述と図面を用いて下記に詳細に説明する。
【図面の簡単な説明】
【００１１】
【図１】本発明の実施形態による卓上電話機の概略構成を説明するための概略図である。
【図２】図１に示す卓上電話機におけるディスプレイ表示部の内部構造を説明するための分解図である。
【図３】図２に示すディスプレイ表示部におけるスライド機構の詳細を説明するための分解図である。
【図４ａ】本発明の実施形態による卓上電話機の動作を説明するための概略図である。
【図４ｂ】本発明の実施形態による卓上電話機の動作を説明するための概略図である。
【図４ｃ】本発明の実施形態による卓上電話機の動作を説明するための概略図である。
【図４ｄ】本発明の実施形態による卓上電話機の動作を説明するための概略図である。
【図５】図４に示す卓上電話機に携帯端末を配置した際の動作を説明するための図である。
【発明を実施するための形態】
【００１２】
以下、本発明の各実施形態について図面を参照しつつ説明する。但し、以下に説明する実施形態によって本発明の技術的範囲は何ら限定解釈されることはない。
【００１３】
図１は、本発明の実施形態による卓上電話機１の概略構成を説明するための図である。同図に示す卓上電話機１は、電話機本体１０と受話部２０を備えている。卓上電話機１は、主に電話の着信や受信に使用するものである。電話機本体１０は、ディスプレイ表示部１１と、ラインキー部１２と、ファンクションキー部１３と、ダイヤルキー部１４と、カーソルキー１５とを有している。また、受話部２０は、長手方向上部に設けられたフックスイッチ及び長手方向下部に設けられたハンドセット受け部に配置されるハンドセット２１と、長手方向中央部に配置されたスピーカ２２を備えている。ここで、図示された電話機本体１０のディスプレイ表示部１１と、ラインキー部１２と、ファンクションキー部１３と、ダイヤルキー部１４と、カーソルキー１５は、利用者の好みに応じたキー配列や色に取替え可能である。
【００１４】
図示する卓上電話機１において、後述するようにディスプレイ表示部１１の内部には携帯端末３０を載置する置き台１３０が組み込まれている。使用の際には、置き台１３０を盤面上（下方向）に引き出して携帯端末３０を配置可能にする。ディスプレイ表示部１１の角度を可動させても置き台１３０への影響はない。また、配置した携帯端末３０はコネクタ（ケーブル）３１や無線で電話機本体１０と接続させ、充電や各種通信を行う。そして、不用の際は置き台１３０をディスプレイ表示部１１の内部にスライドさせて収納できる。
【００１５】
なお、本実施形態における卓上電話機１は、電話機本体１０と、当該電話機本体１０と分離して設けられ、電話機本体１０と連結可能な受話部２０とによって構成されている。受話部２０は、右側面に電話機本体１０と連結するためのリブ（不図示）を備えている。受話部２０の連結用リブを受けるために、電話機本体１０の左側面には突起が設けられている。分離可能な受話部２０に置き換えて、携帯端末３０を電話機本体１０と接続して受話部２０の代用をすることが可能である。
【００１６】
図２は、図１に示す卓上電話機１のディスプレイ表示部１１の詳細を説明するための分解斜視図である。図３は、図２に示すディスプレイ表示部１１のスライド機構１２０の詳細を説明するための分解斜視図である。
【００１７】
図２を参照すると、ディスプレイ表示部１１は、ＬＣＤディスプレイ等の表示ユニット１１２を有しており、当該表示ユニット１１２の周囲を覆うように表示カバー１１１が上側から取り付けられネジ１１３で固定されている。また、表示ユニット１１２の下側にはスライド機構１２０が配置されており、上記表示カバー１１１及び表示ユニット１１２とネジ１１４で固定されている。
【００１８】
スライド機構１２０は、図３に示すように、置き台１３０の引き出しをスムーズにするためのガイド溝１４２を設けたベース部品１４０と、そのガイド溝１４２を通る置き台１３０とにより構成されている。
【００１９】
置き台１３０には、ベース部品１４０のガイド溝１４２を通る突起部１３２が設けられている。また、置き台１３０は案内リブ１３１を備えており、電話機本体１０の操作基盤上に引き出しても各種ボタンには直接触れない構成となっている。ベース部品１４０には、ガイド溝１４２の上部と下部に置き台１３０の位置決めとなる穴１４１が設けられている。
【００２０】
図４は、本発明の実施形態による卓上電話機１におけるスライド機構１２０の動作の流れについて説明するための図である。
【００２１】
まず、本実施形態による卓上電話機１のスライド機構１２０を使用していない状態（携帯端末３０を載置していない状態）では、図４ａのように、スライド機構１２０における置き台１３０の突起部１３２がベース部品１４０の上部の穴１４１に嵌め合い格納されている。卓上電話機１においては、ディスプレイ表示部１１に置き台１３０が格納されているのが分かる。次に図４ｂに示すように、ベース部１４０から置き台１３０を引き出すと、置き台１３０が電話機本体１０の配線基板上にスライドする。このとき、置き台１３０の案内リブ１３１がディスプレイ表示部１１に接地しながら引き出されるため、操作基板上のボタンを不要に押すことは回避できる。言い換えると、ディスプレイ表示部１１の内部から引き出された置き台１３０の案内リブ１３１はラインキー部１２の間を通る構成となっている。
【００２２】
そして、図４ｃに示すとおり、ベース部品１４０の下部の穴１４１に置き台１３０の突起部１３２が嵌め合うことで置き台１３０は引き出した状態で固定される。この状態で、置き台１３０上にスマートフォンなどの携帯端末３０を載置することができる。携帯端末３０は、コネクタ３１を介して卓上電話機１の電話機本体１０と接続することで充電や着信、補助的なディスプレイ表示を行う。図４ｄに示すように、置き台１３０の上に携帯端末３０を置いた状態でも、ディスプレイ表示部１１を可動（チルト）することができる。この場合、置き台１３０の突起部１３２が軸となるため、置き台１３０はそのままの状態を保つことができる。
【００２３】
このように、卓上電話機１の使用者は、置き台１３０の凹みに爪などを引っ掛けてディスプレイ表示部１１内部から下側に引き出して使用する。案内リブ１３１によりボタンには直接押されない状態になっており、そのまま下まで引き出し可能である。この際、スライド機構１２０内側ではガイド溝１４２の一番下側にある穴１４１に置き台１３０の突起１３２が嵌ることで引き出す動きが抑制される。その後、ディスプレイ表示部１１を可動しても突起部１３２が軸となり、置き台１３０はそのままの状態をキープする。スライド機構１２０は上記のような構成を備えているから、置き台１３０の操作を簡単に行うことができる。
【００２４】
以上説明した本発明の実施形態においては、以下に記載するような効果を奏する。
【００２５】
第１の効果は、デスクなどに携帯端末３０を置くための新たな設置スペースを設けなくてもよいことである。その理由は、卓上電話機１のディスプレイ表示部１１にスライド機構１２０を用いることで操作基板上に携帯端末３０を載置できるからである。
【００２６】
第２の効果は、卓上電話機１と接続させる機器の接続性や操作性が向上することである。その理由は、置き台１３０に携帯端末３０を置いて卓上電話機１と携帯端末３０を近傍に配置できるからである。
【００２７】
第３の効果は、卓上電話機１の設計がしやすく製造コストが安くすむことにある。その理由は本実施形態における卓上電話機１やそのスライド機構１２０は簡易な構成を備えているからである。
【００２８】
図５は、本発明の実施形態による卓上電話機１の変形例を示すための図である。本実施形態においても、図５（ａ）から（ｄ）から分かるように、操作盤面上の置き台１３０に載置可能な卓上電話機１であって、例えばＵＳＢインタフェース等の有線インタフェースを介して卓上電話機１に携帯端末３０を接続できる。
【００２９】
同図においては、当該置き台１３０を引き出しているとき、卓上電話機１の操作盤面上のボタンの一部が隠れてしまうことについては、載置された携帯端末３０の表示画面に隠れたボタンを表示し機能させることも可能である。即ち、図５（ｃ）で置き台１３０の上に携帯端末３０を置くことで隠れてしまったラインキー部１２の一部又は全部を、図５（ｄ）のように携帯端末３０の表示画面に表示することができる。また、当該置き台１３０を収納している及び引き出しているときも、ディスプレイ表示部１１はチルト可能（前方に立たせたり、後方に倒したりすることが可能）である。
【００３０】
携帯端末３０の表示画面に表示したボタンを操作処理することで、電話機本体１０上のボタンを押す処理と同じ機能をさせることができる。また、上記実施形態では、卓上電話機１の置き台１３０にスマートフォンを載置する構成を例示したが、本発明はこの構成に限定されることはない。例えば、置き台１３０を延長可能な構成とし引き伸ばした際には操作盤面上の各種ボタンのほとんど又は全てが隠れる構成として、タブレット端末などの携帯端末を載置可能な構成としても良い。この場合、隠れた操作基盤上の各種ボタンは、タブレット端末の表示画面上に表示し機能させることができる。
【００３１】
また、卓上電話機１の電話機本体１０と受話部２０は適宜分離可能であるため、受話部２０の代わりに、電話機本体１０と接続し置き台１３０に載置した携帯端末３０を用いて電話の発信と受信を行うことが可能である。そのため、機器をよりコンパクトにできるため作業スペースの確保ができる。
【００３２】
本発明は、卓上電話機１に置き台１３０とベース部品１４０を有するスライド機構１２０を組み込むことで、既に設置されている卓上電話機１の盤面上に携帯端末３０を置けるスペースを生み出す。また、卓上電話機１と携帯端末３０との連携操作時には接続性、操作性も優れた効果を発揮する。
【００３３】
以上、実施形態を参照して本発明を説明したが、本発明は上記実施形態に限定されるものではない。本発明の構成や詳細は、本発明のスコープ内で当業者が理解し得る様々な変更をすることができる。
【００３４】
本発明は、その趣旨または主要な特徴から逸脱することなく、他の様々な形で実施することができる。そのため、前述の実施形態はあらゆる点で単なる例示に過ぎず、限定的に解釈してはならない。本発明の範囲は、特許請求項の範囲によって示すものであって、明細書本文には、なんら拘束されない。さらに、特許請求項の範囲の均等範囲に属する全ての変形、様々な改良、代替および改質は、すべて本発明の範囲内のものである。
【符号の説明】
【００３５】
１  卓上電話機
１０  電話機本体
１１  ディスプレイ表示部
１２  ラインキー部
１３  ファンクションキー部
１４  ダイヤルキー部
１５  カーソルキー
２０  受話部
２１  ハンドセット
２２  スピーカ
１１１  表示カバー
１１２  表示ユニット
１１３  ネジ
１１４  ネジ
１２０  スライド機構
１３０  置き台
１３１  案内リブ
１３２  突起部
１４０  ベース部品
１４１  穴
１４２  ガイド溝
３０  携帯端末
３１  コネクタ
【図１】
2014187585.tif 000003
【図２】
2014187585.tif 000004
【図３】
2014187585.tif 000005
【図４ａ】
2014187585.tif 000006
【図４ｂ】
2014187585.tif 000007
【図４ｃ】
2014187585.tif 000008
【図４ｄ】
2014187585.tif 000009
【図５】
2014187585.tif 000010